(57)【要約】【課題】  飛び出しメダルの防止と、ホッパーの駆動時の際にメダルの不足が最小限に押さえられ、且つメダルの補充の際には補充しやすいメダル処置装置を得ることにある。【解決手段】  ホッパーのメダル保留部６０を密閉構造にし、回収されたメダルが流れる流入樋３４をホッパーの保留部内に傾斜を設けて導き、流入樋３４から流入してくるメダルの落下位置をホッパー内の所定の落とし場所に導く導入部６３ｂ、６３ｅを設け、導入部は流入樋３４から傾斜を伝わってくる,メダルを溢れメダル排出樋３６の手前近傍に落下メダルの積層の山が形成される位置に落下メダルを導く傾斜構造を備えたホッパー保留部６０を有するメダル処理装置。【選択図】図６
2006202065.tif 000002
【特許請求の範囲】
【請求項１】
回収されたメダルが流入樋を通ってホッパーに流入し、該メダルがホッパーの保留部に保留され、必要に応じて該ホッパーに保留されたメダルを排出し、前記ホッパーの保留部が所定量を超える際には、メダル回収箱に流れる溢れメダル排出樋を有するメダル処理装置において、
ホッパーのメダル保留部を密閉構造にし、回収されたメダルが流れる流入樋をホッパーの保留部内に傾斜を設けて導き、流入樋から流入してくるメダルの落下位置をホッパー内の所定の落とし場所に導く導入部を設け、導入部は流入樋から傾斜を伝わってくる,メダルを溢れメダル排出樋の手前近傍に落下メダルの積層の山が形成される位置に落下メダルを導く傾斜構造を備えたホッパー保留部を有するメダル処理装置。
【請求項２】
請求項１のホッパー保留部には蓋体が設けられ、該蓋体にはホッパー保留部に固定可能なロック機構を有することを特徴とするホッパー保留部を有するメダル処理装置。
【請求項３】
請求項１または２において、ホッパー保留部はホッパー本体の開口に対し上部が幅広に構成されたことを特徴とするホッパー保留部を有するメダル処理装置。
【請求項４】
請求項１乃至４のいずれか１つにおいて、ホッパー保留部はホッパー本体の上側開口に連接して取り付けられていることを特徴とするホッパー保留部を有するメダル処理装置。
【請求項５】
請求項４において、ホッパー保留部は樹脂を真空成形した構造を備えたことを特徴とするメダル処理装置。
【発明の詳細な説明】
【技術分野】
【０００１】
本発明は、業務用メダルゲーム機や両替機等のメダル処理おける一時保留部を有するメダル処置装置に関する。
【背景技術】
【０００２】
従来からのメダルゲーム装置においては、ゲームフィールドでゲームを終えたメダルが、ゲーム機内のスロープを伝わりメダルホッパーに回収され、ホッパーから返却ボックスに返却され、プレイヤの手元へと搬送されるようになっている。このホッパーにおいて、余剰のメダルは収納ボックスへと収納されようになっている（例えば特許文献１参照。）。
【０００３】
同じくメダルゲーム機において、ゲームがおこなわれるゲームフィールドからメダル回収孔に落下したメダルはガイドを通りメダル回収箱に導かれストックされる。このメダル回収箱が一杯になった場合にはメダル回収箱から溢れ出したメダルはガイドを通って金庫に蓄積される。
メダル回収箱内にストックされているメダルは、メダル回収箱の下面に備えたエレベータ式ホッパーにより、ホッパー内のメダルが汲上樋を通り、ゲームフィールドに排出される（例えば特許文献２参照。）。
【０００４】
これらはいずれも、メダルが樋から落下しエレベータ式ホッパーに一時蓄積され、必要に応じてメダルがホッパーから排出され、ホッパーがメダルで一杯になって溢れると、回収箱に溢れたメダルが落下するようになっている。
【特許文献１】特願２００４−１３７５３２号公報（第５頁、図２）
【特許文献２】特開平９−５１９８８号公報（第７頁、図８）
【発明の開示】
【発明が解決しようとする課題】
【０００５】
特許文献１または２のいずれの構造でも、メダルが落下する樋とホッパーが剥き出しになっており、メダルが落下時あるいはホッパー駆動時にホッパーから外部に飛び出してしまうことがあり、ホッパーの外部に飛び出したメダルは機械内に落ちてしまい、故障の原因にもなり、メダルの管理が正確にできない原因になるのであった。
【０００６】
メダルは円盤形状であり、液体とは違い、ホッパーの中では多数のメダルが様々な向きに積み重なり山を築き、その山がホッパーの駆動によりかき混ぜられることで、山が崩されてなだらかになるのであるが、ホッパーが常時駆動しているわけではなく、必ずしもメダルの積み重なった積層部がなだらかになっているとは限らず、落下してくるメダルがホッパーの外部に飛び出す要因となるのであった。
またホッパーにメダルを補充する際に、ホッパーの間口が小さく、メダルを入れずらくホッパーの外にこぼしてしまうことがある。
【０００７】
ホッパーからメダルが飛び出す原因は、ホッパーにメダルが溜まり過ぎてしまい、溜まったメダルがメダル回収箱に流れる前に、落下してくるメダルの衝撃でメダルが跳ね返り、メダルがホッパーの外に飛び出してしまったりするのである。
そのためにホッパーのメダルが溢れる前にメダル回収箱へメダルが流れ出るようになっているのであるが、ホッパーからメダルがメダル回収箱へ流れ出すのは最小限にしないと、ホッパーから大量のメダルを排出する際に、ホッパー内のメダルが足らなくなる恐れがある。
【０００８】
余剰メダルはホッパーに取り付けたガイドを伝わり、収納ボックスや金庫等のメダル回収箱に流れるが、この際にホッパーの駆動に際して余計な負荷が掛からない範囲で最大限のメダルを保留し、余剰メダルが発生した場合のみ収納ボックスや金庫に流れることが望ましいのである。そうでない場合、ホッパーが駆動した際に大量にメダルを排出してしまうと、メダルが足りなくなる場合があり、その都度、係員がメダルをホッパー補充する必要が生じるのである。これを解消するには、ホッパーにメダルを落下させる際に、メダルの物理的な落下場所を見極める必要がある。
残念ながら、上記特許文献では、このあたりまで考慮した設計にはなっておらず、ホッパーからメダルが外部に飛び出してしまったり、ホッパーが駆動してメダルを払い出す際に、メダルが足らず、係員を呼んでホッパーにメダルをメダル回収箱から回収して補充する頻度が少なくなかったのである。
【０００９】
本願の目的は、エレベータ式ホッパーにおいて、ホッパーに流入するメダルが外部に飛び出さず、さらにホッパーの駆動によりメダルが排出される際にメダルが飛び跳ねても外に跳び出さず、さらにホッパーが一杯になる前にメダルがメダル回収箱に流れず、さらにホッパーへのメダルの補充が容易にでき、さらになお異物の混入を防ぐメダル処理装置を得ることにある。
【課題を解決するための手段】
【００１０】
上記目的である課題を解決するために、本願発明は、回収されたメダルが流入樋を通ってホッパーに流入し、該メダルがホッパーの保留部に保留され、必要に応じて該ホッパーに保留されたメダルを排出し、前記ホッパーの保留部が所定量を超える際には、メダル回収箱に流れる溢れメダル排出樋を有するメダル処理装置におけるものである。
そして、漏斗状受部であるホッパーのメダル保留部を密閉構造にし、回収されたメダルが流れる回収樋である流入樋をホッパーの保留部内に傾斜を設けて導き、流入樋から流入してくるメダルの落下位置をホッパー内の所定の落とし場所に導く漏斗状受部の導入部を設け、導入部は流入樋から傾斜を伝わってくる,メダルを流し樋である溢れメダル排出樋の手前近傍に落下メダルの積層の山が形成される位置に落下メダルを導く傾斜面と傾斜床からなる傾斜構造を備えた漏斗状受部であるホッパー保留部を有するメダル処理装置とした。
【００１１】
上記構成とすることで、ホッパーのメダル保留部にメダルが流入する際に導入部を伝わってメダルがホッパーの所定の場所に落下し、所定の落下位置で落下メダルが積層し、不必要にメダルを溢れさすことなく、効率のよいメダルの保留が行われるのである。
【００１２】
さらに上記目的である課題を解決するために、本願発明では上記発明において、ホッパー保留部には蓋体が設けられ、該蓋体にはホッパー保留部に固定可能なロック機構を有するホッパー保留部を有するメダル処理装置とした。
上記構成とすることで、ホッパー内でメダルが落下時に飛び跳ねてホッパーの外部に飛び出すことが蓋体により制限され、メダルの不用意な飛び出しを防ぐことができる。
【００１３】
さらに、上記目的である課題を解決するために、本願発明では、ホッパー保留部はホッパー本体の開口に対し上部が幅広に構成されたことを特徴とするホッパー保留部を有するメダル処理装置とした。
上記構成とすることで、ホッパーにメダルを補充する必要が生じた際でも、ホッパー保留部が漏斗状に上部が幅広になっているので、メダルの補充が容易にできるのである。
【００１４】
上記目的である課題を解決するために、本願発明では、ホッパー保留部はホッパー本体の上側開口に連接して取り付けられていることを特徴とするホッパー保留部を有するメダル処理装置とした。
【００１５】
上記構成とすることで、既存のホッパー本体にホッパー保留部を連接して取り付けるとができ、既存製品のホッパー本体を利用できるので、新たにホッパーから設計する必要がなく短時間で製品化が可能となる。
【００１６】
さらに上記目的である課題を解決するために、本願発明では、ホッパー保留部は樹脂を真空成形した構造を備えたメダル処理装置とした。
上記構成とするとで、板金で製作するのに比して製造が容易となり、大量生産に向くのである。
【発明の効果】
【００１７】
上記構成にすることで、メダル処理装置のメダルが、ホッパー保留部を密閉にしてあることで、ホッパーから飛び出すことがないし、外部から異物が混入することも防ぐことができ、故障の要因を少なくできる。
さらにホッパー内のメダル落とし位置がホッパーの駆動に際して、効率よく駆動ができる位置に、最大限のメダルが保留でき、つまり余剰メダルが不必要に流失しないように落下メダルの積層メダル群の山を築くことができ、ホッパー内のメダルが空になるということを最小限にしうるのである。
さらにメダルの補充が必要になった際でも、ホッパー保留部は上部が漏斗状に幅広になっているので係員がメダルを補充する際に外にこぼすことなく容易に補充できるのである。
【発明を実施するための最良の形態】
【００１８】
以下、本発明によるメダルゲーム機用や両替機等のメダル装置の実施の形態について、図面を参照して具体的に説明する。なおここではメダル、あるいはコインとは金属製の円盤であり硬貨も含む用語として用いる。
【実施例１】
【００１９】
図１は、本発明の第１の実施の形態として、業務用メダルゲーム機に本発明を適用したメダル処理装置を示す概略斜視図である。図２は同内部機構を示す正面図である。図３は同内部構造を示す右側面図である。図４はメダル装置部分の正面分解斜視図であり、図５は同背面分解斜視図を示す。
メダルゲーム機としては、スロットマシン、カードゲーム、ルーレット、競馬ゲーム、ビンゴゲームなどのジャンルが一般的である。遊戯者は図示しないメイン筐体で行われる上述の各種ゲームに対し、遊戯者個々人がメダルを投入し操作部を操作してゲームを予測し、勝敗の結果に応じて、メダルが払い出されるサテライト筐体について以下に述べる。
【００２０】
まず、図１に示すように、サテライトの筐体１００の天板１には、左側にモニタ２や操作部３、およびモニタの上に点灯表示部４、天板１の右側にメダル処理装置１０を構成するメダルボール２０およびメダル投入口３０が設けられている。ここで、メダルボール２０は、複数枚のメダルを一括的に取り出し可能な開口面積を有し、ゲームプレイによって獲得され、払い出されたメダルを取り出すメダル取出口である。また、メダル投入口３０は、１枚以上かつ２枚未満のメダル厚さ寸法に等しい開口幅を有し手前側から略Ｕ字溝３１を有し、該Ｕ字溝３１に複数枚のメダルを並べてメダル投入口３０に向けて手で押すことで、メダル投入口３０にメダルを連続的に投入することが可能である。メダル投入口３０の下にはコインセレクタ３２があり、該コインセレクタ３２はメダル投入口３０から落下してくる正規のメダルと、不良メダル（異種メダル）を選別し、正規メダルであればコインスイッチ３２ａにより投入枚数を逐次カウントする機能を有している。
【００２１】
コインセレクタ３２で不良メダルと判定されたメダルは、排出樋３３を通して筐体正面の扉５の返却口６に設けた排出ボックス４０に落下させ、返却口６から手で取り出すことができる。
また、筐体１００内部の床の手前中央には払出用のエスカレータ式ホッパー５０があり、コインセレクタ３２で正規のメダルと判定されたメダルは角筒状の.回収樋３４を通して、ホッパー５１の上に取り付けたホッパーの水平間口より広い漏斗状受部６０に滑り落ちる。
【００２２】
そして、前記漏斗状受部６０に滑り落ちたメダルは漏斗状受部の背面斜面を滑り落ちてホッパー５１に落下する。
図５に示す通り、前記漏斗状受部６０には蓋体７０が取り付けてあり、ロック部７１、掛止部７２により漏斗状受部６０に取り付けられている。
そしてエスカレータ式ホッパー５０において、適正なメダルの量を超えた場合には漏斗状受部６０に設けられた流し樋３６を通じて左側のメダル回収ボックス３７に溢れたメダルを流す。
【００２３】
ここで、エスカレータ式ホッパー５０はホッパー５１から設定された枚数のメダルを払い出すと共に、払出枚数を「ペイアウト数」としてカウントする機能を有する一般的なメダルの払出用のエスカレータ式ホッパーであり、そのメダル払出扁平パイプ５５はメダルの直径と略同一幅でメダルの厚さと略同一の内部通路を有し、内部通路にはメダルが押し込まれて移動する。そしてメダル払出し扁平パイプ５５はメダル払出し装置５２の右側中央から緩やかなカーブを形成してキリンの首状に上に伸びた立設通路５５ａとキリンの顔状に立設通路の上端から手前に向けて短い水平通路５５ｂが連接し、水平通路の先端は排出口５６となっている。
【００２４】
前記立設通路５５ａの上端隅にはコインセンサ５７が設けてあり、メダル払出し通路内のメダルの通過を検出して、検出しない場合はホッパーモータ５２ａを停止させ、それ以上の払出し通路内でのメダル詰まりを防止することができる。
【００２５】
前記水平通路５５ｂの先端部の左右にＬ字のブラケット５８を水平通路５５ｂに対し直角に取り付け、排出口５６に硬質樹脂製のガイド部８０をガイド部側から前記ブラケット５８に螺着してある。
【００２６】
図６はエレベータ式ホッパーと漏斗状受部にメダル樋を設けた図３のＡ−Ａ断面図を示し、図７はエレベータ式ホッパーと漏斗状受部から回収樋を除いた斜視図を示し、図８は図７の背面側からの斜視図である。
ホッパー５１の上部の開口５３の平面形状が長方形であり、背面、右面、手前面に沿ったコの字のブラケット３５が開口５３に螺着されており、ブラケット３５を介して漏斗状受部６０の下側が螺着される。これにより、ホッパー５１に漏斗状受部６０が連設され固定される。
漏斗状受部６０は下側がホッパーの開口５３の奥行き幅であり、左右の幅はホッパーの開口５３の奥行幅のままで左側に張り出した垂直壁６１になっている。
【００２７】
漏斗状受部の手前側６２の上部はホッパーの開口５３の横幅に合致して手前側に垂直に張り出した張出壁６２ａで、張出壁６２ａの下辺から水平間口の開口５３に向けて傾斜した傾斜面６２ｂとなっている。張出壁６２ａと傾斜面６２ｂの左側は開口５３の左側面と略同一面にある片屋根を逆にした台形垂直壁６２ｃで構成されている。
漏斗状受部６０の背面側６３は基本的には手前側の張出壁６２ａ、傾斜面６２ｂ、台形垂直壁６２ｃと対称位置に張出壁６３ａ、傾斜面６３ｂ、台形垂直壁６３ｃとなっているが、背面右側は開口５３がそのまま上側に伸びた垂直壁６３ｄとなっており、それに回収樋３４に沿った傾斜床６３ｅが交わる構造になっている。
漏斗状受部６０の右側は、ホッパーの開口５３をそのまま上に垂直に延長した垂直壁６４となっており、垂直壁の背面側には角筒状の回収樋３４が位置する方形な切欠６５が設けてある。
【００２８】
図３には漏斗状受部６０の右側面が示されており、メダル払出し扁平パイプ５５は一部を点線で示す。小円部の拡大図を大円内に示す。切欠６５はホッパーの開口５３の背面を真上に延長させた一点鎖線の位置に対し、略３分の１部分３４ｂ１が開口５３の内側に位置し、略３分の２部分３４ｂ２が前記傾斜床６３ｅの上方に位置する
回収樋３４はメダルＭの径よりも十分に大きい角筒であり、回収樋の中をコインセレクタからの正規のメダルが落下する。回収樋３４は漏斗状受部６０には仰角略３０度の左下がりの傾斜に取り付けてある。正規のメダルが回収樋の入口３４ａから落下して滑り落ち、蓋体７０の下部に開口した出口３４ｂからメダルＭがホッパー内に落下する。
この際に図３の拡大円に示す通り、回収樋の出口３４ｂの手前側（図では左側）の略３分の1部分３４ｂ１から落下したメダルＭ１はそのままホッパー内に落下する。回収樋３４ｂの背面側（図では右側）の略３分の２部分３４ｂ２から落下したメダルは一旦、漏斗状受部の傾斜床６３ｅに滑り落ちる。
【００２９】
図６、図７に示す通り、回収樋３４を勢いよく落下してきたメダルは傾斜面６３ｂに直接、滑り落ち傾斜面６３ｂで滑り落ちる方向が左方向に加え、手前側（ホッパー側）に落ちる方向が加わり、メダルの落下方向は左側手前方向になり、開口５３の左側中央方向になる。
傾斜面６３ｂと傾斜床６３ｅは傾斜面６３ｂの右上から傾斜面の左下方向に斜め交わっており、その交線Ｌの下側はホッパーの開口５３の左側寄りの位置Ｐに達している。
【００３０】
図９にて漏斗状受部の背面の傾斜面と傾斜床の交線Ｌの達する位置Ｐによるメダルの落下を説明し、この交線の達する位置Ｐにより落下してくるメダルの落下位置を特定できるのである。
例えば（Ａ）では交線の達する位置Ｐ1をあまりにも右側にするとホッパーの開口５３に落下するメダルは右寄りになってしまい、ホッパーが駆動していない場合には、落下メダルの様々な向きに積み重なった積層による山がホッパーの開口５３の右寄り位置になるのである。
（Ｂ）では、交線Ｌの達する位置Ｐ２を開口中央にすると、落下メダルの積層による山がホッパの中央寄り位置になる。これらの場合はいずれもメダルの積層の山が右側や中央部に出来てしまい、メダルの山で回収樋の出口３４ｂが詰まってしまうこととになる。このままでは、時機にメダルが回収樋に達してメダルが詰まったり、メダルが外へ溢れたりする恐れがある。
【００３１】
（Ｃ）は、交線Ｌの達する位置Ｐ３を左寄りとすることで、落下メダルの積層の山が左寄りになり、ある程度山が出来て回収樋の出口３４ｂが詰まる前に流し樋３６へ流れる理想的な落下位置となる。
（Ｄ）では、交線Ｌの達する位置Ｐ４があまりも開口５３の左寄りになっており、ホッパー内にメダルが溜まる前に流し樋３６から流れ出て回収ボックス３７に溜まるのである。これでは、大量のメダルをホッパー５１から排出する際にメダルが足らなくなる恐れがあるのである。
【００３２】
上述のとおり、交線Ｌの達する位置Ｐがホッパーの物理的な指定落とし場所にメダルを導くように漏斗状受部の傾斜面６３ｂと傾斜床６３ｅが構成されている。図３の拡大円に示す如く,落下してくるメダルのうち過半数は回収樋３４の開口３４ｂ２から排出された際に傾斜面６３ｂと傾斜床６３ｅに滑りおち、これらの傾斜面６３ｂと傾斜床６３ｅは斜めに交わっており、その交線Ｌのホッパーの開口５３に達する位置Ｐは開口５３の左側寄りの位置に達しているので、開口の左側寄りで、流し樋３６に達する手前に落下メダルの山を築く位置に導くことができる。
そして、回収樋３４の出口３４ｂのうち、開口５３の内側に位置する略３分の１部分３４ｂ１から開口５３の内側の位置に落下した場合はそのままホッパー内に落ちるので、この場合は、ホッパーの左寄りではなく、中央寄りあるいは右側というようにメダルを散らばして落下させることができる。
【００３３】
また頻度は少ないが、回収樋３４からあまりにも勢いよく飛び越えてに左側に向けて飛び出したメダルが台形垂直壁６３ｃに衝突すると右側に跳ね返り、傾斜面に６３ｂで跳ねて開口内に落下することになる。
上述の通り、回収樋の開口３４ｂの開口の内側の３分の１部分３４ｂ１から落下したメダルはホッパー内にそのまま落下して散らばり、開口３４ｂの開口の外側の３分の２部分３４ｂ２から落下したメダルは漏斗状受部の傾斜面３６ｂと傾斜床３６ｅを介して、開口５３の左寄りに導入されメダルの山を積層し、この両方の開口の領域３４ｂ１、３４ｂ２から落下するメダルがホッパー内で溜まり、なだらかなメダルの積層した山を開口５３の左寄りに築くのである。
【００３４】
漏斗状受部６０は、ＡＢＳ樹脂を真空成形しており、各壁、傾斜面、傾斜床との交差部は小さい曲面にＲが付けて構成されている。これにより板金による製作と比して製造が容易であり、しかも錆びることがなく、メダルを汚すことがなく、メダルにごみ等が付着せず清潔に保つことができる。
【００３５】
図７、図８に示す如く、漏斗状受部６０の上縁は水平な鍔部６０ａが切欠６５を除き周設されており、鍔部６０ａの外方には短壁６０ｂが周設され、鍔部６０ａには蓋体７０が載置される。
図１０は蓋体の裏面斜視図を示している。蓋体７０は回収樋３４を取り付けた漏斗状受部６０の鍔部６０ａに載置され、ロック部７１、掛止部７２により漏斗状受部６０に取り付けられている。ロック部７１は漏斗状受部６０の左側中央に設けた矩形孔６１ａに嵌合する。
【００３６】
図６に戻り、蓋体の表面の摘み７１ａを回してロック機構７１ｂを回動させることで、ロック機構の裏側に取り付けた係止片７１ｃが回動して漏斗状受部６０の矩形孔６１ａに挿脱可能に回動する。
漏斗状受部の右側中央の上部には蓋体が掛止される遊嵌孔６４ａが開口している。蓋体を漏斗状受部６０に取り付けた際に遊嵌孔６４ａに対応する位置に掛止部７２が設けてある。掛止部７２はＬ字のブラケット７２ａを蓋体の裏に取りつけ、ブラケット７２ａには水平外方に向けて掛止棒７２ｂが設けてある。これにより、蓋体７０の掛止棒７２ｂを遊嵌孔６４ａにあてがい、蓋体７０を漏斗状受部の鍔部６０ａに載置し、摘み７１ａを回転させてロック機構の掛止片７１ｃを、矩形孔６１ａに嵌合させることで、蓋体７０を漏斗状受部６０に取り付けることができるのである。
【００３７】
ここで、掛止棒７２ｃは漏斗状受部側に設け、遊嵌孔６４ａは蓋体のブラケット側に設けてもよい。遊嵌孔６４ａは上下方向に多少の隙間があればよく、蓋体７０を斜めにして蓋体の縁を鍔部６０ａと短壁６０ｂの交差部にあてがいそこで軸支して蓋体を開け閉めする際に使用されるのである。
この遊嵌孔６４ａの隙間により蓋体７０の掛止部７２の側が斜め上側に多少動くのであるが、蓋体７０は漏斗状受部の鍔部の短壁６０ｂを超えない範囲でしか移動しないようになっており、内部のメダルが外部に漏れることはない。
【００３８】
次にホッパー５１が大量にメダルをメダルボール２０に向けて払出し、ホッパー内のメダルが無くなった場合の作業手順を説明する。
ホッパ−５１が空になると、顧客はメダルボール２０に排出されるはずのメダルが排出されないので、図示しないコールボタンを押して係員を呼ぶ。係員は筐体の扉５を開けて漏斗状受部の蓋体７０の摘み７１ａを回して係止片７１ｃを解除し、摘み７１ａを持ち上げて蓋体７０を漏斗状受部６０から取り外す。そして回収ボックス３７を手前に引き出して、回収ボックス内の溢れたメダルを漏斗状受部６０の手前側に広がっている垂直壁６２ａから流し入れる。
【００３９】
漏斗状受部の手前側はホッパーの開口５３に沿って手前側に張り出した垂直壁６２ａとその下側に連なる傾斜面６２ｂと、台形状垂直壁６２ｃ、右側は垂直壁６４で構成されているので、上方から流し入れたメダルは漏斗状受部内に落下してホッパー５１に溜まる。この際に漏斗状受部の手前６２には台形状垂直壁６２ｃがあるので、メダルは流し樋３６側には流れ出ることがなく、ホッパー５１にメダルを補充することができるのである。これによりメダルの補充の際に漏斗状受部の上部が漏斗状に手前に張り出しており、メダルを補充しやすく、外部にこぼすことがないのである。
【００４０】
メダルの補充が終えたなら蓋体の掛止部７２を漏斗状受部の遊嵌孔６４ａに嵌め入れ、蓋体７０を鍔部６０ａに合わせて載置して摘み７１ａを回してロック機構の係止片７１ｃを漏斗状受部の矩形孔６１ａに嵌合させることで、蓋体７０が漏斗状受部６０に固定されるのである。これによりメダルがホッパー内で飛び跳ねてホッパーの外部に飛び出そうとしても蓋体７０に当たりホッパー内に戻るのである。
【００４１】
上述の実施例では、溢れメダルの排出位置の流し樋３６を漏斗状受部の左側に設けたが、この位置はこの場所に限る必要はなく、漏斗状受部の手前側に設けてもよい。回収問い３４と流し樋３６との位置を離しておき、その間に導入手段によりメダルの落下位置をホッパーの開口の所定の落ちし位置に導き、ホッパーが最大限のメダルを保留しつつ、メダルが詰まらない位置を見出した構造とするのである。
上記の説明はメダルゲーム装置のサテライトを上げて説明したが、本願の適用はメダルゲーム機に限らず、両替機等のメダル処理装置にも適用できる。
【図面の簡単な説明】
【００４２】
【図１】業務用メダルゲーム機に本発明を適用したメダル処理装置を示す概略斜視図である。
【図２】同メダル処理装置の内部を示す正面図である。
【図３】同内部機構を示す右側面図である。
【図４】メダル装置部分の正面分解斜視図である。
【図５】同背面分解斜視図である。
【図６】エレベータ式ホッパーと漏斗状受部にメダル樋を設けた図３のＡ―Ａ断面図である。
【図７】図６から回収樋を除いた斜視図である。
【図８】図７の背面側からの斜視図である。
【図９】漏斗状受部の背面の傾斜面と傾斜床の交線Ｌの達する位置Ｐによるメダルの落下を説明図である。
【図１０】蓋体の裏面斜視図である。
【符号の説明】
【００４３】
１００  筐体
１  天板
２  モニタ
３  操作部
４  点灯表示部
５  扉
６  返却口
１０  メダル処理装置
２０  メダルボール
２１  メダル払出し口
２２  ガイド板
３０  メダル投入口
３１  略Ｕ字溝
３２  コインセレクタ
３３  排出樋
３４  回収樋
３５  漏斗状受部
３６  流し樋
４０  排出ボックス
５０  エスカレータ式ホッパー
５１  ホッパー
６０  漏斗状受部   
７０  蓋体
７１  ロック部
７２  掛止部
８０  ガイド部
９０  天板蓋体
【図１】
2006202065.tif 000003
【図２】
2006202065.tif 000004
【図３】
2006202065.tif 000005
【図４】
2006202065.tif 000006
【図６】
2006202065.tif 000007
【図７】
2006202065.tif 000008
【図８】
2006202065.tif 000009
【図９】
2006202065.tif 000010
【図１０】
2006202065.tif 000011
【図５】
2006202065.tif 000012